(57)【要約】【課題】ポンプ作動時の振動に起因する騒音と、外部からの異常な衝撃に起因する故障を防止し、部材コストの低減と組み立て時の作業性、防振機能を向上させた電磁振動型ダイヤフラムポンプを提供する。【解決手段】電磁石収納部内に、永久磁石が備えられた振動子と電磁石が配置され、該永久磁石と電磁石の磁気的相互作用によって生じる該振動子の電磁振動によって、該振動子に連結されたダイヤフラムを振動させる電磁振動型ダイヤフラムポンプであって、該電磁振動型ダイヤフラムポンプの防振装置が、一端が前記電磁石収納部とポンプケーシングとからなるポンプ部のフック部と、他端が底部基板上に設けられた複数の支柱とに装着された、弾性を有する吊り具によって前記ポンプ部を吊り下げ状態で保持する構造を有する。【選択図】図５
0003135578.tif 000002
【実用新案登録請求の範囲】
【請求項１】
電磁石収納部内に、永久磁石が備えられた振動子と電磁石が配置され、該永久磁石と電磁石の磁気的相互作用によって生じる該振動子の電磁振動によって、該振動子に連結されたダイヤフラムを振動させる電磁振動型ダイヤフラムポンプであって、
該電磁振動型ダイヤフラムポンプの防振装置が、
一端が前記電磁石収納部とポンプケーシングとからなるポンプ部のフック部と、他端が底部基板上に設けられた複数の支柱とに装着された、弾性を有する吊り具によって前記ポンプ部を吊り下げ状態で保持する構造である電磁振動型ダイヤフラムポンプ。
【請求項２】
前記支柱が、前記底部基板上部に一体成型された請求項１記載の電磁振動型ダイヤフラムポンプ。
【請求項３】
前記吊り具の弾性体が、糸状または紐状である請求項１または２記載の電磁振動型ダイヤフラムポンプ。
【請求項４】
前記吊り具の両端に形成されたキャップ部が、前記支柱および前記ポンプケーシングに突設されたフック部と脱着自在に設けられた請求項１〜３のいずれか１項に記載の電磁振動型ダイヤフラムポンプ。
【請求項５】
前記キャップ部の先端部が錐形状である請求項１〜４のいずれか１項に記載の電磁振動型ダイヤフラムポンプ。
【請求項６】
前記吊り具の装着時に、前記キャップ部と前記支柱および、前記キャップ部と前記ポンプケーシングのフック部に勘合部が設けられた請求項１〜５のいずれか１項に記載の電磁振動型ダイヤフラムポンプ。
【請求項７】
前記底部基板と前記電磁石収納部の有底との間隙に、
前記ポンプ部の中央下面に設けられた通気ノズルと、前記底部基板の該通気ノズルと対向する面にフランジ付き接続チューブが設けられた請求項１〜６のいずれか１項に記載の電磁振動型ダイヤフラムポンプ。
【考案の詳細な説明】
【技術分野】
【０００１】
本考案は電磁振動型ダイヤフラムポンプに関する。詳しくは、下筐体の底部基板上に設けられた複数の支柱に、弾性を有する素材（たとえばエラストマー）からなり、両端部が錐形状であり、かつねじれ防止のための勘合部が設けられ、支柱およびポンプケーシングと容易に着脱可能に設計された吊り具を介してポンプ部を吊り下げ状態で保持することにより、ポンプ作動時の振動に起因する騒音と、外部からの異常な衝撃に起因する故障を防止し、かつ部品点数を減らし、組み立て時の作業性や部材コストを削減した電磁振動型ダイヤフラムポンプに関する。
【０００２】
本考案の電磁振動型ダイヤフラムポンプは、主として家庭用浄化槽の曝気用、養魚用水槽の酸素補給用、泡風呂のエア噴気用および理化学機器の加圧送気用に利用される。
【背景技術】
【０００３】
従来から、電磁振動型ダイヤフラムポンプ作動時の振動に起因する騒音や、外部からの異常な衝撃に起因する故障への対策として、種々の防振対策が開発されている。
【０００４】
たとえば、特許文献１では、電磁石、振動子、ダイヤフラムからなる筐体状の電磁石ケース１を、図１に示されるように、うず巻き状のコイルスプリング２を介して、底部基台プレート３に立設された支柱４によって宙吊り状態で吊り下げることにより、防振効果を得る電磁振動型ダイヤフラムポンプ５の技術が開示されている。
【０００５】
【特許文献１】特開２０００−１３０３４６号公報
【考案の開示】
【考案が解決しようとする課題】
【０００６】
しかしながら、前記特許文献１の電磁振動型ダイヤフラムポンプ５の防振機構では、支柱４は底部基台プレート３にネジ、ナットなどの固着手段により締結されており、また、各コイルスプリング２の両端には、それぞれ電磁石ケース１、底部基板プレート３と接合するための接合部６が設けられており、それらはリベット接合されている。さらに、空気は電磁石ケースの側部から２本のゴムホースを介して下部タンク容器を通じて排気される。そのため、組立作業やメンテナンス作業が複雑かつ困難である。また、電磁石ケース１の揺れ防止のために、防振ゴム７を底部基台プレート３と電磁石ケース１底部との隙間に設ける必要があり、部品点数も多く、コストもかかる。
【０００７】
本考案は、上記従来の問題を鑑みてなされたものであり、ポンプ作動時の振動に起因する騒音と、外部からの異常な衝撃に起因する故障を防止し、部材コストの低減と組み立て時の作業性、防振機能を向上させた電磁振動型ダイヤフラムポンプを提供することを目的とする。
【課題を解決するための手段】
【０００８】
電磁石収納部内に、永久磁石が備えられた振動子と電磁石が配置され、該永久磁石と電磁石の磁気的相互作用によって生じる該振動子の電磁振動によって、該振動子に連結されたダイヤフラムを振動させる電磁振動型ダイヤフラムポンプであって、該電磁振動型ダイヤフラムポンプの防振装置が、一端が前記電磁石収納部とポンプケーシングとからなるポンプ部のフック部と、他端が底部基板上の複数箇所に立設された支柱とに装着された、弾性を有する吊り具によって前記ポンプ部を吊り下げ状態で保持する構造を特徴とする。
【０００９】
また、前記支柱が、前記底部基板上部に一体成型されていることが好ましい。
【００１０】
また、前記吊り具の弾性体が、糸状または紐状であり、前記吊り具の両端に形成されたキャップ部が、前記支柱および前記ポンプケーシングに突設されたフック部と脱着自在に設けられ、かつ前記キャップ部の先端部が錐形状であることが好ましい。
【００１１】
また、前記吊り具の装着時に、前記キャップ部と前記支柱および、前記キャップ部と前記ポンプケーシングのフック部に勘合部が設けられていることが好ましい。
【００１２】
また、前記底部基板と前記電磁石収納部の有底との間隙に、前記ポンプ部の中央下面に設けられた通気ノズルと、前記底部基板の該通気ノズルと対向する面にフランジ付き接続チューブが設けられていることが好ましい。
【考案の効果】
【００１３】
本考案の電磁振動型ダイヤフラムポンプにおける防振装置によれば、弾力を有する素材からなる吊り具を用いてポンプ部を吊り下げることにより、ポンプ作動時の振動に起因する騒音を防止することができる。また、吊り具先端とポンプのフック部、支柱とに勘合部を設けることにより、取付け作業を簡単にすることができ、かつポンプ作動時のねじれを防止し、メンテナンス作業を容易にすることができる。さらに、先端を錐形状とすることで、外部からの異常な衝撃に起因する故障を防止することができる。また、支柱を下筐体と一体成型すること、フランジ付き接続チューブを介して通気ノズルを下筐体のタンク部へ挿入することにより部材コストの低減と防振機能を向上させ、品質を向上させることができる。
【考案を実施するための最良の形態】
【００１４】
本考案の電磁振動型ダイヤフラムポンプは、電磁石収納部内に、永久磁石が備えられた振動子と電磁石が配置され、該永久磁石と電磁石の磁気的相互作用によって生じる該振動子の電磁振動によって、該振動子に連結されたダイヤフラムを振動させる電磁振動型ダイヤフラムポンプであって、該電磁振動型ダイヤフラムポンプの防振装置が、一端が前記電磁石収納部とポンプケーシングとからなるポンプ部のフック部と、他端が底部基板上に設けられた複数の支柱とに装着された、弾性を有する吊り具によって前記ポンプ部を吊り下げ状態で保持する構造を有する。
【００１５】
また、前記支柱が、前記底部基板上部に一体成型されている。
【００１６】
また、前記吊り具の弾性体が、糸状または紐状であり、前記吊り具の両端に形成されたキャップ部が、前記支柱および前記ポンプケーシングに突設されたフック部と脱着自在に設けられ、かつ前記キャップ部の先端部が錐形状である。さらに、前記吊り具の装着時に、前記キャップ部と前記支柱および、前記キャップ部と前記ポンプケーシングのフック部に勘合部が設けられている。
【００１７】
また、前記底部基板と前記電磁石収納部の有底との間隙に、前記ポンプ部の中央下面に設けられた通気ノズルと、前記底部基板の該通気ノズルと対向する面にフランジ付き接続チューブが設けられている。
【００１８】
以下で、添付図面を参照して、本考案を詳細に説明する。
【００１９】
図１は、従来の電磁振動型ダイヤフラムポンプの１実施形態における側面図である。図２は、本考案の電磁振動型ダイヤフラムポンプの１実施形態（実施の形態１）における側面図である。図３は、本考案の電磁振動型ダイヤフラムポンプの１実施形態（実施の形態１）における側面部分断面図である。図４（ａ）は、本考案の電磁振動型ダイヤフラムポンプの１実施形態（実施の形態１）における吊り具の側面図であり、図４（ｂ）は、本考案の電磁振動型ダイヤフラムポンプの１実施形態（実施の形態１）における吊り具の底面図である。図５は、本考案の電磁振動型ダイヤフラムポンプの１実施形態（実施の形態１）における下筐体と吊り具、下筐体とポンプ部との接続を説明するための側面図である。
【００２０】
実施の形態１
本考案の電磁振動型ダイヤフラムポンプ８は、図２および図３に示されるように、ポンプ部９、下筐体１０、吊り具１１から構成される。さらにポンプ部９は、電磁石収納部９ａとポンプケーシング９ｂ、通気ノズル９ｃから構成され、電磁石収納部９ａ内（Ｕ字形フレームでもよい）に、電磁石９ｄと永久磁石９ｅが配置され、該電磁石９ｄと該永久磁石９ｅの磁気的相互作用に基づいて、該永久磁石９ｅを備えた振動子１２に電磁振動が生じる。その結果、振動子１２に連結されたダイヤフラム１３が振動する。
【００２１】
下筐体１０は、底部基板１０ａ、支柱１０ｂ、フランジ付き接続チューブ１０ｃ、タンク部１０ｄ、吐出ノズル１０ｅから構成される。４本の支柱１０ｂは底部基板１０ａ上の四方に一体成型され、吊り具１１を介してポンプ部９を宙吊り状態に吊り下げるための部位である。なお、本実施の形態では、支柱の数が４本の場合を例に説明するが、本考案は、支柱の数を特に限定するものではない。支柱１０ｂは、ねじやナットなどの固着手段を使用せず、底部基板１０ａと一体成型することにより、強度を上げることができ、耐用年数を長くすることができる。また、部品点数を減らし、コストを削減することができる。また、通気ノズル９ｃは、電磁振動型ダイヤフラムポンプ８に空気を供給するための部位であり、空気はポンプ部９の前記通気ノズル９ｃと下筐体１０のタンク部１０ｄをとおり、吐出ノズル１０ｅから排気される。後述のように、通気ノズルがフランジ付き接続チューブ１０ｃを介してタンク部１０ｄに接続されることにより、ポンプ作動時においてポンプ部を定位置で保つことができる。
【００２２】
図４（ａ）に示されるように、吊り具１１は、エラストマーなどの弾性体１１ａからなり、前記ポンプ部９と下筐体１０を接続する部位である。吊り具１１は、糸状または紐状の弾性体１１ａとその両端のキャップ部１１ｂおよび１１ｃとが一体成形された構造である。一体成型することにより、部品点数を減らすのみでなく、ポンプ作動時の振動に起因する騒音を低減することができる。キャップ部１１ｂおよび１１ｃの先端部１１ｄは、錐形状をなしており、ポンプの運送中などにおいて、異常振動が起こった際に、該先端部１１ｄと前記底部基板１０ａの接触により生じる衝撃を緩和することができる。
【００２３】
また、図４（ｂ）、図５に示されるように、前記キャップ部１１ｂおよび１１ｃには、勘合部１４が設けられている。前記勘合部を、それぞれ支柱１０ｂの勘合部１５、ポンプケーシング９ｂのフック部９ｆと装着することにより、ポンプ作動時に生じるねじれを防止するとともに、ポンプ部９の振動に起因する騒音を低減することができる。また、前述のように、前記支柱１０ｂのそれぞれの先端には、前記吊り具１１の一端のキャップ部１１ｂを装着するための勘合部１５が設けられている。また、ポンプケーシング９ｂの四方には、前記吊り具１１の他端のキャップ部１１ｃを装着するためのフック部９ｆが設けられている。前記勘合部１５およびフック部９ｆを介して、ポンプ部９を宙吊り状態に吊り下げることにより、ポンプ使用時における振動に起因する騒音を低減することができる。
【００２４】
さらに、図５に示されるように、前記底部基板１０ａと電磁石収納部９ａの有底部との間隙に、ポンプ部９の中央部に配設された通気ノズル９ｃと、該通気ノズル９ｃと対向する底部基板１０ａに装着された弾性を有するフランジ付き接続チューブ１０ｃが接続されている。上述のように、従来技術では、空気は電磁石ケースの側部から２本のゴムホースを介して下部タンク容器を通じて排気されており、電磁石ケースの揺れ防止対策として、電磁石プレートと基台プレートの隙間に防振ゴム７を設ける必要があるが、本考案のフランジ付き接続チューブ１０ｃを介して通気ノズル９ｃを下筐体１０のタンク部１０ｄへ挿入する方法により、部材コストの低減のみならず、防振機能をも兼ねることができる。
【００２５】
以上、本考案の電磁振動型ダイヤフラムポンプによれば、下筐体に一体成型された複数の支柱に、弾性を有する素材（たとえばエラストマー）からなり、両端部が錐形状であり、かつねじれ防止のための勘合部が設けられ、支柱およびポンプケーシングと容易に着脱可能に設計された吊り具を介してポンプ部を吊り下げ状態で保持することにより、ポンプ作動時の振動に起因する騒音と、外部からの異常な衝撃に起因する故障を防止する。また、フランジ付き接続チューブを介して通気ノズルを下筐体のタンク部へ挿入することにより部材コストの低減と防振機能を向上させ、かつ部品点数を減らし、組み立て時の作業性や部材コストを削減した電磁振動型ダイヤフラムポンプを提供することができる。
【図面の簡単な説明】
【００２６】
【図１】従来の電磁振動型ダイヤフラムポンプの１実施形態における側面図である。
【図２】本考案の電磁振動型ダイヤフラムポンプの１実施形態（実施の形態１）における側面図である。
【図３】本考案の電磁振動型ダイヤフラムポンプの１実施形態（実施の形態１）における側面部分断面図である。
【図４】（ａ）は、本考案の電磁振動型ダイヤフラムポンプの１実施形態（実施の形態１）における吊り具の側面図であり、（ｂ）は、本考案の電磁振動型ダイヤフラムポンプの１実施形態（実施の形態１）における吊り具の底面図である。
【図５】本考案の電磁振動型ダイヤフラムポンプの１実施形態（実施の形態１）における下筐体と吊り具、下筐体とポンプ部との接続を説明するための側面図である。
【符号の説明】
【００２７】
１  電磁石ケース
２  コイルスプリング
３  底部基板プレート
４、１０ｂ  支柱
５、８  電磁振動型ダイヤフラムポンプ
６  接合部
７  防振ゴム
９  ポンプ部
９ａ  電磁石収納部
９ｂ  ポンプケーシング
９ｃ  通気ノズル
９ｄ  電磁石
９ｅ  永久磁石
９ｆ  フック部
１０  下筐体
１０ａ  底部基板
１０ｃ  フランジ付き接続チューブ
１０ｄ  タンク部
１０ｅ  吐出ノズル
１１  吊り具
１１ａ  弾性体
１１ｂ、１１ｃ  キャップ部
１１ｄ  先端部
１２  振動子
１３  ダイヤフラム
１４、１５  勘合部
【図１】
0003135578.tif 000003
【図２】
0003135578.tif 000004
【図３】
0003135578.tif 000005
【図４】
0003135578.tif 000006
【図５】
0003135578.tif 000007